(57)【特許請求の範囲】
【請求項１】
多数の周波数帯域（Ｂ）を使用した第１世代の通信システム（ｐｒｉｍａｒｙ  ｔｅｌｅｃｏｍｍｕｎｉｃａｔｉｏｎ  ｓｙｓｔｅｍ）によってカバーされた区域の中で機能するコグニティブ通信端末を使用した未使用帯域の検索方法であって、
前記端末が、複数回の前記未使用帯域の探索を繰り返し実行して、各々の繰り返しの中で、前記複数の周波数帯域の各々の周波数帯域に対して、前記各々の周波数帯域が前記第１世代の通信システムによって占有されていない条件付
0005328310.tif 000015
前記第１世代の通信システムによって、すでに占有されている帯域の第１の集合（Ｂｏｃｃ）と、すでに別のコグニティブ端末によって使用されているが、この第１世代の通信システムによって占有されていない帯域の第２の集合（Ｂｏｐｐ）とを知り、
前記周波数帯域を、最大の条件付き確率をもった周波数帯域
0005328310.tif 000016
類して、前記周波数帯域内の第１世代の通信システムの信号強度を測定して前記未使用帯域を探索し、算出された最大の前記条件付き確率を用いて、前記周波数帯域の第１および第２の集合を更新することを特徴とする未使用帯域の検索方法。
【請求項２】
前記強度が所定の閾値より大きいならば、前記第１の集合は前記帯域だけ増加されることを特徴とする請求項１に記載の未使用帯域の検索方法。
【請求項３】
前記強度が所定の閾値より小さいならば、前記端末が、すでに別のコグニティブ端末が前記帯域を使用しているか否かを確認することを特徴とする請求項１に記載の未使用帯域の検索方法。
【請求項４】
すでに前記帯域が送信のために別のコグニティブ端末によって使用されているならば、前記第２の集合は前記帯域だけ増加されることを特徴とする請求項３に記載の未使用帯域の検索方法。
【請求項５】
前記帯域が送信のために別のコグニティブ端末によって使用されていないならば、そのとき前記コグニティブ端末が前記帯域を選択することを特徴とする請求項３に記載の未使用帯域の検索方法。
【請求項６】
前記区域が、それぞれの与えられた帯域（ｂｎ）に対して区分域（ａｋ）に分割され、そして、前記第１世代の通信システムによって占有されていない条件付
0005328310.tif 000017
する確率（βｉ，ｋ）から計算され、
前記異なる区分域、および前記与えられた帯域が使用可能な場合に、これら
0005328310.tif 000018
を特徴とする請求項１ないし請求項５のいずれか一項に記載の未使用帯域の検索方法。
【請求項７】
前記第１世代の通信システムが放送ＤＶＢ−Ｔタイプのテレビ信号用のシステムであることを特徴とする請求項１ないし請求項６のいずれか一項に記載の未使用帯域の検索方法。
【発明の詳細な説明】
【技術分野】
【０００１】  本発明は、特に、ＤＶＢ−Ｔデジタルテレビ放送（地上波システム（ｔｅｒｒｅｓｔｒｉａｌ  ｓｙｓｔｅｍ））に割り当てられた帯域上での通信に適した、コグニティブ無線システムに関する。
【背景技術】
【０００２】  周波数帯域（ｓｐｅｃｔｒｕｍ）の過密さの増大に伴い、予め周波数帯域が割り当てられたシステム、いわゆる、第１世代のシステムとの共存が可能な通信システムを想定する必要があった。【０００３】  最近では、膨大な数の研究が２つの共存の戦略のためになされている。
第１のものは、帯域を非常に大きく広げることにより、非常に弱い信号を使用する超広帯域（ＵＷＢ）システムを使用する方法による（特許文献１参照）。
第２のものは、時々あるいは一時的には占有されていない帯域部分を認識的に（ｃｏｇｎｉｔｉｖｅｌｙ）使用する、いわゆる、コグニティブ無線方式を使用する方法による（特許文献２参照）。【０００４】  コグニティブ無線に関する記述は、非特許文献１に与えられている。
コグニティブ無線の原理は、特に地域無線ネットワーク（ＷＲＡＮ）の展開のために使用されている。
これらのネットワークは現在、ＩＥＥＥ８０２．２２のワークグループ内で、規格化の手続きを受けている。【０００５】  もっと正確には、最近作られた、この規格では、ＷＲＡＮネットワークにおいて地点から地点へと無線送信させるために、空いたＵＨＦおよびＶＨＦ帯域の認識的な（ｃｏｇｎｉｔｉｖｅ）利用が提案されている。
特にＤＶＢ−Ｔテレビシステム（地上デジタルテレビ放送）に割り当てられたＵＨＦ帯域が、この目的のために使用可能であることが想定されている。【０００６】  ＤＶＢ−Ｔの規格では、圧縮された動画／音声のストリームを送信するために、ＯＦＤＭ（ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）変調を使用している。
ＩＥＥＥ規格８０２．２２への手引きは、非特許文献２に与えられている。【０００７】  ＷＲＡＮネットワーク送信機は、与えられたＵＨＦ帯域内で送信可能となる前に、この帯域が第１世代のシステムによって、すでに占有されているか否かを検出する必要がある。【０００８】  ＣＰ（ｃｙｃｌｉｃ  ｐｒｅｆｉｘ）の有無を利用しているＤＶＢ−Ｔ信号が与えられた帯域にあるならば、ＯＦＤＭ信号の自己相関特性が検出に使用可能であることが提案されてきた。
そのような検出方法の記述は、非特許文献３の記事の中に与えられている。【０００９】  別のＯＤＦＭ信号の検出アルゴリズムは、出願人の名前で２００７年５月３１日にＮｏ．０７５５３９４で提出され、公開されていないフランスの願書に記載されている。
【特許文献１】ＥＰ１７５０４６７  Ａ
【特許文献２】ＵＳ２００４／０１５１１３７  Ａ１
【非特許文献１】Ｔｈｅ  ｆｏｕｎｄｉｎｇ  ｔｈｅｓｉｓ  ｂｙ  Ｊ．Ｍｉｔｏｌａ  ｅｎｔｉｔｌｅｄ  ≪  Ｃｏｇｎｉｔｉｖｅ  ｒａｄｉｏ：ａｎ  ｉｎｔｅｇｒａｔｅｄ  ａｇｅｎｔ  ａｒｃｈｉｔｅｃｔｕｒｅ  ｆｏｒ  ｓｏｆｔｗａｒｅ  ｄｅｆｉｎｅｄ  ｒａｄｉｏ  ≫，Ｒｏｙａｌ  Ｉｎｓｔｉｔｕｔｅ  ｏｆ  Ｔｅｃｈｎｏｌｏｇｙ，Ｓｔｏｃｋｈｏｌｍ，ＰｈＤ  Ｄｉｓｓｅｒｔａｔｉｏｎ，Ｍａｙ  ８  ２０００．
【非特許文献２】Ｔｈｅ  ａｒｔｉｃｌｅ  ｂｙ  Ｃ．Ｃｏｒｄｅｉｒｏ  ｅｔ  ａｌ．ｅｎｔｉｔｌｅｄ  ≪  ＩＥＥＥ８０２．２２：ａｎ  ｉｎｔｒｏｄｕｃｔｉｏｎ  ｔｏ  ｔｈｅ  ｆｉｒｓｔ  ｗｉｒｅｌｅｓｓ  ｓｔａｎｄａｒｄ  ｂａｓｅ  ｏｎ  ｃｏｇｎｉｔｉｖｅ  ｒａｄｉｏｓ  ≫，ｐｕｂｌｉｓｈｅｄ  ｉｎ  ｔｈｅ  Ｊｏｕｒｎａｌ  ｏｆ  Ｃｏｍｍｕｎｉｃａｔｉｏｎｓ，Ｖｏｌ．１，Ｎｏ．１，Ａｐｒｉｌ  ２００６，ｐｐ．３８−４７．
【非特許文献３】Ｔｈｅ  ａｒｔｉｃｌｅ  ｂｙ  Ｓｏｏ−Ｙｏｕｎｇ  Ｃｈａｎｇ  ｅｎｔｉｔｌｅｄ  ≪  ＩＥＥＥＰ８０２．２２  Ｗｉｒｅｌｅｓｓ  ＲＡＮｓ−  ｓｅｎｓｉｎｇ  ｓｃｈｅｍｅ  ｆｏｒ  ＤＶＢ−Ｔ  ≫，ｐｕｂｌｉｓｈｅｄ  ｉｎ  Ｎｏｖｅｍｂｅｒ  ２００６．
【発明の開示】
【発明が解決しようとする課題】
【００１０】  上記の帯域が第１世代のシステムに占有されていないことを確かめた後も、なお、送信機は、特別な検出アルゴリズムによって、問題の帯域が、すでに第２世代のシステムに使用されていないことを確かめねばならない。【００１１】  ＷＲＡＮネットワークの場合には、コグニティブ無線システムそれ自体の端末がＯＤＦＭ変調を使用している。
第２世代のシステムの存在は、そのとき上述の検出方法によって検出できる。【００１２】  未使用帯域を探すために、コグニティブ端末は、いつも増大するか、または減少する順番で、第１世代のシステムに次々と割り当てられた周波数帯域を確認しなければならない。
例えば、ＷＲＡＮネットワークの場合には、ＵＨＦのチャンネル２１から６９を順番に検索しなければならない。【００１３】  この検索は困難かもしれず、そして、ネットワークへのアクセススピードをかなり減少させるかもしれない。【００１４】  そこで、本発明の目的は、コグニティブ通信端末のための未使用帯域を迅速かつ効果的に検索する方法を提案することにある。
【課題を解決するための手段】
【００１５】  本発明は、多数の周波数帯域を使用している第１世代の通信システムによってカバーされた区域で機能しているコグニティブ通信端末を使用して、
上記の端末が、第１世代の通信システムによって占有されていない、それらの条件付き確率の関数として上記帯域を分類することによって、
すでに第１世代の通信システムによって占有された帯域の第１の集合と、別のコグニティブ端末によって使用されているが、この第１世代の通信システムには占有されていない帯域の第２の集合とを知り、
最大の上記条件付き確率をもった帯域によって、未使用帯域の検索を開始して、以後、前記帯域の分類と前記第１の集合、および前記第２の集合とを更新する処理を繰り返して行う未使用帯域の検索方法によって定義される。【００１６】  上記の方法では、前記多数の周波数帯域の集合から前記最大の条件付き確率をもった帯域の集合を差し引いて、新たな周波数帯域の集合とする逐次代入の間に、第１および第２の集合が、この逐次代入の間で最大の上記条件付き確率を有する帯域における検出結果を使用して更新されるように、多数回の逐次代入を使用するのが好ましい。【００１７】  上記の端末は、それぞれの逐次代入の間に、最大の条件付き確率をもった帯域内で、第１世代の通信システムからの信号の強度を測定している。【００１８】  上記強度が所定の閾値より大きいならば、第１の集合は、上記帯域だけ増加される。
上記の強度が所定の閾値より小さいならば、上記の端末は、すでに別のコグニティブ端末が上記の帯域を使用しているか否かを確認できる。【００１９】  上記帯域が、送信のために、すでに別のコグニティブ端末によって使用されているならば、上記の第２の集合は、上記帯域だけ増加される。
その帯域が、送信のために、別のコグニティブ端末によって使用されていないならば、そのとき上記の帯域は上記のコグニティブ端末によって選択される。【００２０】  上記の区域は、複数の区分域に分割されるのが好ましく、そして、それぞれに与えられた帯域に対して、上記の第１世代の通信システムによって占有されないという条件付き確率、すなわち使用可能という条件付き確率が、異なる帯域が異なる区分域の内側で使用可能となる確率と上記の与えられた帯域が使用可能なこれらの区域の対応する領域とから計算される。【００２１】  上述の方法において、第１世代の通信システムは、例えば、ＤＶＢ−Ｔタイプのテレビ信号を放送するためのシステムであってもよい。
【発明を実施するための最良の形態】
【００２２】  本発明の他の特徴および効果は、添付の図面を参照しつつ発明の最良の実施の形態を読んだ後に明確となる。
【実施例】
【００２３】  第１世代の通信システム、例えば、８０２．２２ネットワークのようなＤＶＢ−Ｔシステムおよび第２世代の通信システムの状況をもう一度考察する。
後述するように、上記第１世代の通信システムに、周波数帯域の集合Ｂ＝｛ｂ１，ｂ２，．．．，ｂＮ｝が割り当てられていることを想定する。【００２４】
0005328310.tif 000002
るように異なる区分域ａｋに分割されている。
そして、これらの区分域は、区域Ａの区画を定義している。【００２５】  上記第１世代のシステムの複数の送信機は、区域Ａに配置されており、そして、所定の周波数割当プランに対応した複数の周波数帯域ｂｎ（ｎ＝１，．．．，Ｎ）を使用している。【００２６】  制限の無い例としては、上記第１世代の通信システムを地上のデジタルテレビ（ＤＴＶ）送信機によって構成してもよい。
区域Ａによって、フランスをカバーし、そして、上記の区分域を一辺５０ｋｍの正方形とする。【００２７】  上記第２世代の通信システムにおいて、重なった区域に位置するコグニティブ端末は、通信を開始して継続させるために、集合Ｂ内の未使用帯域を検索しなければならない。【００２８】  後の記載において、使用可能な帯域とは、上記第１世代のシステムに割り当てられ、上記端末によって上記第１世代のシステムから信号が検出されていない帯域を意味している。【００２９】  未使用帯域とは、上記の第２世代のシステムの別の端末からの信号が上記のコグニティブ端末によって検出されていない、使用可能な帯域を意味している。【００３０】  本発明の基本的な着想は、第１世代のシステムによって使用されていない確率が最大の、言い換えれば、使用可能である確率が最大の、帯域から始めて、集合Ｂを検索することにある。【００３１】  検出閾値は、上記の帯域内に、今現在、第１世代のシステムの信号が存在するか否かを検出するのに役立つように決定される。
具体的には、上記の第１世代のシステムが上記のＤＴＶシステムであるならば−１１６ｄＢｍの閾値が設定される。【００３２】  すなわち、今現在、この閾値より大きい強度レベルをもったＤＶＢ−Ｔ信号がないならば、上記の帯域は使用可能であると言える。【００３３】  その検索の間に、上記のコグニティブ端末は、引き続き上記の帯域を検査し、そして、これにより、それらの帯域に対応する占有についての情報を、上記の第１世代のシステムによって、そして、もし適用可能ならば上記の第２世代のシステム内の端末によって取得する。【００３４】  上記送信機の周波数割当プランおよび、それらの対応する位置を知れば、上記の情報によって、Ａの特定の区分域における上記の端末の状況についての確率に関する情報が得られる。【００３５】  これらの異なる区分域に対する上記の端末の存在確率によって、これらの帯域が使用可能であるか否かについての確率を次々に改善することが可能となる。【００３６】  このように、最低の占有確率をもった上記の帯域が、上記端末によって確認されるべく選択されて、１回の代入から次までに、それぞれの代入の間に上記の第１世代のシステムによる占有確率が更新される。【００３７】  後の記載において、以下の決まりごとが使用される。
上記の端末が、第１世代のシステムからの信号の存在を検出した場合に、第１の集合Ｂｏｃｃは集合Ｂの部分集合となる。【００３８】  もっと正確には、ｂｎ∈Ｂｏｃｃならば、上記の端末は、上記の帯域ｂｎのコグニティブな使用によって第１世代のシステムの通信状態を撹乱する可能性がある区域に存在する。【００３９】第２の集合Ｂｏｐｐは、第２世代のシステムからの信号は存在するが、第１世代のシステムからの信号が無いことを上記端末が検出した集合Ｂの部分集合となる。【００４０】  もっと正確には、ｂｎ∈Ｂｏｐｐならば、上記の端末は、上記の帯域ｂｎのコグニティブな使用によって上記の第１世代のシステムの通信状態を撹乱しない区域に存在しなければならない。【００４１】  しかしながら、問題の帯域は、上記の第２世代のシステム内で別のコグニティブ端末によって、すでに使用されているという事実によって、上記の端末によりコグニティブに使用可能となる。【００４２】  前に定義され、占有された帯域の集合Ｂｏｃｃ，Ｂｏｐｐを知っているので、
ｐ（ｂｎ｜Ｂｏｃｃ，Ｂｏｐｐ）は、上記の帯域ｂｎが使用可能となる確率となっている。【００４３】  ａｋにより表示された区分域は、Ａの区分を形成しているので、条件付き確率ｐ（ｂｎ｜Ｂｏｃｃ，Ｂｏｐｐ）は、以下のように分解可能となる。【００４４】  すなわち、
0005328310.tif 000003
ただし、ｐ（ｂｎ｜ａｋ，Ｂｏｃｃ，Ｂｏｐｐ）＝ｐ（ｂｎ｜ａｋ）である。【００４５】  一度、区域ａｋが分かれば、Ｂｏｃｃ，Ｂｏｐｐの情報は、この区域内で使用可能な帯域の認識に役立つような付加的情報を何も与えない。【００４６】  （１）の２行目は、ある帯域が使用可能となる確率が、上記の端末が検出結果Ｂｏｃｃ，Ｂｏｐｐを考慮した上で異なる区域ａｋに存在する確率と、上記の帯域が、これらの区域のそれぞれにおいて使用可能となる確率と、に依存することを意味している。【００４７】  もっと正確には、上記の確率ｐ（ｂｎ｜ａｋ）は、上記の端末が、区分域ａｋに存在するならば、帯域ｂｎが使用可能となる確率である。【００４８】  βｎ，ｋにより表示された、この確率は、
0005328310.tif 000004
に等しい。
0005328310.tif 000005
ａｋの領域である。【００４９】  実際には、以下の手続きが使用される。
すなわち、それぞれの帯域ｂｉ∈Ｂに対して、上記の帯域ｂｉ内で送信している上記第１世代のシステム内の送信機の位置と、それらの対応する出力強度とを知ることにより、この帯域ｂｉがコグニティブに使用できない区域Ωｉが決定される。【００５０】  もっと正確には、この帯域を使用している個々の送信機εに対して、上述の区域Ωｉ（ε）は、その電界が与えられた受信状態の閾値Ｔ１より強い点の集合として定義されている。【００５１】  デジタル地上テレビに対しては、臨界閾値Ｔ１＝２５．４ｄＢ（μＶ／ｍ）、すなわち、
Ｔ１＝−１１６ｄＢｍが使用可能である。
例えば、「ＩＥＥＥ  ８０２．２２」（２００５年８月３０日付，ｒ６）の表題「ＷＲＡＮ  Ｃｈａｎｎｅｌ  ｍｏｄｅｌｉｎｇ」（Ｅ．Ｓｏｆｅｒ  他）の記事に記載された伝播モデルを使用することによって、ＤＶＢ−Ｔ信号点での電界値を決定することが可能である。【００５２】  与えられた区分域ａｋおよび与えられた帯域ｂｎに対して、帯域ｂｎが使用可能となるａｋに属する点に対して検索が実行される。【００５３】  もっと正確には、ａｋは小さな正方形を使って分割され、そして、これらの正方形の中央に形成された点の格子が想定される。【００５４】  検査は、この格子内で、それがこれらの区域Ωｎの一つであるか否が分かるように、それぞれの点Ｇに対して実行される。
もし、そうであるならば、上記の帯域ｂｎは、中心Ｇをもった基本的な正方形の中では役に立たない。【００５５】  図１は、区域ａｋの中で、帯域ｂｎを占有することが確定した、この場合には、２つの送信機ε１およびε２に関連した区分域ａｋと区域Ωｎとを示す。
帯域ｂｎが使用できない場合の正方形は、クロスハッチのパターンで示されている。【００５６】  帯域ｂｎが使用可能であるのに対して、言い換えれば、空白が残った正方形に対して、
0005328310.tif 000006
【００５７】  第１世代のシステム送信機の位置および対応する強度を知ったならば、条件付き確率ｐ（ｂｎ｜ａｋ）の計算は、すべてに対して一度だけ実行できることに注意するのは重要である。【００５８】式（１）に現われる第２の条件付き確率は、
（ａ）  上記の端末が、帯域ｂｎ∈Ｂｏｃｃの中で、第１世代のシステムからの信号を検出しており、そして、
（ｂ）  帯域ｂｎ∈Ｂｏｐｐ内に、第１世代のシステムからの信号が存在せず、かつ第２世代のシステムからの信号の存在を検出したことが確認されている、
ことを知った上で、上記の端末が区域ａｋ内に存在する確率となっている。【００５９】  この確率は、Ｂａｙｅｓの定理、すなわち、
0005328310.tif 000007
を使って表現できる。【００６０】  ｉ≠ｊならば、事象｛ｂｉ∈Ｂｏｐｐ｜ａｋ｝と｛ｂｊ∈Ｂｏｐｐ｜ａｋ｝とが独立であることが確定すると、式ｐ（Ｂｏｃｃ，Ｂｏｐｐ｜ａｋ）は、
0005328310.tif 000008
の形に因数分解できる。【００６１】  ｂｉ∈Ｂｏｃｃに対する確率ｐ（ｂｉ｜ａｋ）は、上記の端末が区域ａｋ内にあることを知った上で帯域ｂｉが第１世代のシステムによって使われる確率、言い換えれば、それが上記の第１世代のシステムによって占有されているために、上記の端末が帯域ｂｉを使用できない確率ｐ（ｂｉ｜ａｋ）＝１−βｉ，ｋとなる。【００６２】  同様に、ｂｊ∈Ｂｏｐｐに対する確率ｐ（ｂｊ｜ａｋ）は、帯域ｂｊが区域ａｋの中では使用できない確率である。それゆえ、それは確率βｊ，ｋに等しい。【００６３】  その結果は、上記の条件付き確率ｐ（ａｋ｜Ｂｏｃｃ，Ｂｏｐｐ）を以下のように表現することによって可能となる。【００６４】  すなわち、
0005328310.tif 000009
【００６５】  上記の領域σＡおよび（５）における確率ｐ（Ｂｏｃｃ，Ｂｏｐｐ）は、ａｋに依存しない共通の要素である。【００６６】  結局、もし、上記の端末が任意の区域内に位置している確率によって、Ｂｏｃｃ，Ｂｏｐｐを知った上での確率ｐ（ａｋ｜Ｂｏｃｃ，Ｂｏｐｐ）を規格化するならば、
0005328310.tif 000010
となる。【００６７】  そして、このため、（１）に、式（２）と（６）を代入することによって、
0005328310.tif 000011
となる。【００６８】
0005328310.tif 000012
ークの配置にだけ依存しているので、それらは、すべてに対して一度は決定可能となる。【００６９】  図２に示されるような未使用帯域を検索するために、区域Ａ内に位置するコグニティブ端末によって、上記Ｂの異なる帯域の条件付き確率ｐ（ｂｎ｜Ｂｏｃｃ，Ｂｏｐｐ）が使用される。【００７０】  上記の検索方法は、初期化ステップ２１０から開始される。
すなわち、Ｂ＝｛ｂ１，ｂ２，．．．，ｂＮ｝を上記の第１世代のシステムが使用可能な上述の帯域の集合とし、ＢｏｃｃおよびＢｏｐｐを空集合として初期化する。【００７１】  ステップ２２０では、Ｃａｒｄ（Ｂ）＞０か否かが確認される。
もし、そうならば、計算ステップ２３０に進む。
もし、そうでないならば、ステップ２２５でエラーとして終了する。
すなわち、上記のコグニティブ端末は、送信するためにＢの中のどんな帯域にも使用できない。【００７２】  ステップ２３０では、上記の端末は、現在の集合Ｂｏｃｃ，Ｂｏｐｐとメモリー２３５に蓄えられ
0005328310.tif 000013
出する。【００７３】  ステップ２４０では、確率ｐ（ｂｎ｜Ｂｏｃｃ，Ｂｏｐｐ）をソートして、そして、上記の端末が決定する。すなわち、
0005328310.tif 000014
【００７４】  ステップ２５０では、上記の端末は、帯域ｂｍａｘが上記の第１世代のシステムによって占有されているか否かを検出する。【００７５】  もっと正確には、すなわち、
−  ｐ（ｂｍａｘ｜Ｂｏｃｃ，Ｂｏｐｐ）＝１ならば、上記の端末は、帯域ｂｍａｘが上記の第１世代のシステムによって占有されていないという結論を出す。【００７６】  これは、ｂｍａｘを使用している送信機の到達区域が、上記の端末が位置している位置から十分に遠い場合での状況に対応している。【００７７】  そして、
−  その他の点で、上記の端末は、この帯域において受信される第１世代の信号のレベルが、所定の閾値より小さいか否かを検出する（具体的には、上記の第１世代のシステムが上記のＤＴＶシステムであり、かつ上記の送信された信号がＤＶＢ−Ｔ信号であるならば−１１６ｄＢｍの閾値が使用可能である。）。【００７８】  もし、そうでなければ、上記の第１世代のシステムによって上記の帯域ｂｍａｘが占有され、そして更新ステップ２５５に進むことが確定する。【００７９】  他方で、もし上記の帯域ｂｍａｘが上記の第１世代のシステムによって占有されていないならば、言い換えれば、もし、ｂｍａｘが使用可能であるならば、検出ステップ２６０に進む。【００８０】  ステップ２６０では、帯域ｂｍａｘが、すでに別のコグニティブ端末によって、使用されているか否かを確認する。【００８１】  もし、そうでなければ、上記の端末が未使用帯域を検出しており、かつ、アルゴリズムが２７０で停止する。
逆に更新ステップ２６５に進む。【００８２】  ステップ２５５では、集合Ｂに、Ｂ＝Ｂ−｛ｂｍａｘ｝が逐次代入されることによって更新され、そして、第１の集合Ｂｏｃｃが、Ｂｏｃｃ＝Ｂｏｃｃ∪｛ｂｍａｘ｝を設定することによって更新される。【００８３】  ステップ２６５では、上記の集合Ｂに、Ｂ＝Ｂ−｛ｂｍａｘ｝が逐次代入されることによって更新され、そして、第２の集合Ｂｏｐｐが、Ｂｏｐｐ＝Ｂｏｐｐ∪｛ｂｍａｘ｝を設定することによって更新される。
どちらの場合にも、ステップ２２０に戻る。【００８４】  なお、未使用帯域を検索するための上記の方法は、特に、もし上記のコグニティブ端末がモバイルの場合には、周期的に繰り返されてもよい。
【図面の簡単な説明】
【００８５】
【図１】第１世代の通信システムによってカバーされた区分域を示す。
【図２】本発明の実施例に係る空き帯域を検索するために、コグニティブ端末によって使用される方法を示す。
【図１】
0005328310.tif 000019
【図２】
0005328310.tif 000020